(57)【要約】【課題】従来の薄さのままでレンズホルダの剛性を増し、光ディスク装置の高速度化に対応できる対物レンズ駆動装置に備わる対物レンズ保持体を提供することを目的とする。【解決手段】第１の貫通孔２ａおよび第２の貫通孔２ｂを備えたレンズホルダ２と、第１の貫通孔２ａに固定された対物レンズ１と、第２の貫通孔２ｂの内側に固定されたトラッキングコイル７、８ａ、８ｂおよびフォーカスコイル６ａ、６ｂと、第２の貫通孔２ｂの内側に配置された補強部材１１と、を備えた対物レンズ保持体１３とした。【選択図】図１
2006323911.tif 000002
【特許請求の範囲】
【請求項１】
第１の貫通孔および第２の貫通孔を備えたレンズホルダと、前記第１の貫通孔に固定された対物レンズと、前記第２の貫通孔の内側に固定されたトラッキングコイルおよびフォーカスコイルと、前記第２の貫通孔の内側に配置された補強部材と、を備えたことを特徴とする対物レンズ保持体。
【請求項２】
前記補強部材は前記レンズホルダの幅方向に配置されたことを特徴とする請求項１に記載の対物レンズ保持体。
【請求項３】
前記補強部材は前記第２の貫通孔の略中心にあることを特徴とする請求項１に記載の対物レンズ保持体。
【請求項４】
前記補強部材は非磁性を有する材料で形成されたことを特徴とする請求項１に記載の対物レンズ保持体。
【請求項５】
前記補強部材は絶縁性を有する材料で形成されたことを特徴とする請求項１に記載の対物レンズ保持体。
【請求項６】
前記補強部材は前記レンズホルダよりも剛性が高い材料で形成されたことを特徴とする請求項１に記載の対物レンズ保持体。
【請求項７】
前記補強部材はセラミックスを含む材料で形成されたことを特徴とする請求項１に記載の対物レンズ保持体。
【請求項８】
前記補強部材と前記レンズホルダとは接着剤で固定されたことを特徴とする請求項１に記載の対物レンズ保持体。
【請求項９】
前記補強部材は前記レンズホルダと一体で成型されて固定されたことを特徴とする請求項１に記載の対物レンズ保持体。
【請求項１０】
前記補強部材は板状であることを特徴とする請求項１に記載の対物レンズ保持体。
【請求項１１】
前記トラッキングコイルは前記補強部材に固定されたことを特徴とする請求項１に記載の対物レンズ保持体。
【請求項１２】
前記フォーカスコイルは前記補強部材に固定されたことを特徴とする請求項１に記載の対物レンズ保持体。
【請求項１３】
前記補強部材は前記フォーカスコイルの内部に設けられたことを特徴とする請求項１２に記載の対物レンズ保持体。
【請求項１４】
第１の貫通孔および第２の貫通孔を備えたレンズホルダを成型する金型の所定の位置に補強部材を配置する第１工程と、前記レンズホルダの金型に所定の材料を供給しレンズホルダの形状を成型する第２工程と、前記補強部材と前記レンズホルダを一体で前記金型から取り出す第３工程と、トラッキングコイルとフォーカスコイルを第２の貫通孔の内部に固定する第４工程と、を備えたことを特徴とする対物レンズ保持体の製造方法。
【請求項１５】
フォーカスコイルと補強部材とトラッキングコイルとを相互に固定する第１工程と、第１の貫通孔および第２の貫通孔を備えたレンズホルダの前記第２の貫通孔内側と前記補強部材とを固定する第２工程とを備えたことを特徴とする対物レンズ保持体の製造方法。
【請求項１６】
前記第１工程は前記フォーカスコイルと前記補強部材と前記トラッキングコイルとを相互に接着剤で固定することを特徴とする請求項１５に記載の対物レンズ保持体の製造方法。
【請求項１７】
請求項１に記載の対物レンズ保持体、請求項１４または１５に記載の製造方法で製造された対物レンズ保持体のうち、いずれか１の対物レンズ保持体を備えたことを特徴とする対物レンズ駆動装置。
【請求項１８】
請求項１７に記載の対物レンズ駆動装置を備えたことを特徴とする光ピックアップ。
【請求項１９】
請求項１８に記載の光ピックアップを備えたことを特徴とする光ピックアップモジュール。
【請求項２０】
請求項１９に記載の光ピックアップモジュールを備えたことを特徴とする光ディスク装置。
【請求項２１】
第１の貫通孔および第２の貫通孔を備えたレンズホルダと、前記第１の貫通孔に固定された対物レンズと、前記レンズホルダの幅方向に配置され前記第２の貫通孔の内側に接着剤で固定されセラミックスを含む材料で形成された板状の補強部材と、前記第２の貫通孔の内側で前記補強部材に接着剤で固定されたトラッキングコイルと、前記第２の貫通孔の内側で前記トラッキングコイルの反対側から前記補強部材に接着剤で固定されたフォーカスコイルとを備えた対物レンズ保持体と、
前記対物レンズ保持体を弾性支持するサスペンションワイヤと、
前記サスペンションワイヤを支持するサスペンションホルダと、
前記第２の貫通孔内に配置される磁石を固定し前記サスペンションホルダを固定するヨークと、を備えたことを特徴とする対物レンズ駆動装置。
【発明の詳細な説明】
【技術分野】
【０００１】
本発明はパーソナルコンピュータ、特にノートブック型コンピュータに搭載される対物レンズ保持体、対物レンズ駆動装置、光ピックアップ、光ピックアップモジュールおよび光ディスク装置に関するものである。
【背景技術】
【０００２】
従来からノートブック型コンピュータに搭載される光ディスク装置はＣＤ（コンパクトディスク）からＤＶＤ（デジタルバーサタイルディスク）へと進化してきた。さらにＢＤ（ブルーレイディスク）、ＨＤ  ＤＶＤ（ハイデフィニションＤＶＤ）へと進化しつつある。この進化の流れは高性能化であり、光ディスクの円周方向に沿った情報の記録密度も、半径方向の情報の記録密度も格段に上がるとともに、高速度でその情報を光ディスクに記録したり、光ディスクから読み出したりという流れである。
【０００３】
一方、ノートブック型コンピュータは小型・軽量・薄型化という進化の流れも存在する。光ディスク装置も小型・軽量・薄型化が要求され、光ディスク装置を構成する部品にも小型・軽量・薄型化に対応することが求められる。
【０００４】
図１２は従来の対物レンズ駆動装置の構成斜視図、図１３は図１２の構成斜視図の分解斜視図である。図１２および図１３において、光ディスク（図示せず）に対する情報の記録や再生などはレーザダイオード等の光源（図示せず）から出射された光を対物レンズ１０１に入射させ、対物レンズ１０１で入射した光を絞り、光ディスク上に集光することにより行われる。また、この光ディスクに集光した光の反射光は、対物レンズ１０１を介して受光素子（図示せず）に入射し、電気信号に変換される。その電気信号はデータ取得やサーボ制御に使用される。
【０００５】
対物レンズ１０１はレンズホルダ１０２に取り付けられており、レンズホルダ１０２の対物レンズ１０１を取り付ける部分には第１の貫通孔１０２ａが設けられている。対物レンズ１０１はこの第１の貫通孔１０２ａを塞ぐように接着剤などで取り付けられている。また、レンズホルダ１０２には、対物レンズ１０１が取り付けられる部分に設けられた第１の貫通孔１０２ａ以外に角部に丸みを帯びた方形状の大きな第２の貫通孔１０２ｂが設けられている。また、第２の貫通孔１０２ｂのレンズホルダ１０２の対物レンズ１０１が設けられた側には、第２の貫通孔１０２ｂの径が他の部分よりも小さくなるように、第２の貫通孔１０２ｂの中心側に伸びた突出部１０２ｃが略コ字型に設けられている。また、この突出部１０２ｃの端部には突出部１０２ｃの一部を切り欠くように一対の切り欠き部１０２ｄ，１０２ｅが設けられている。
【０００６】
レンズホルダ１０２の両側部にはそれぞれ３本づつ、サスペンションワイヤ１０３が設けられており、かつ、サスペンションワイヤ１０３の一方の端部はレンズホルダ１０２中に埋設して設けられている。しかもサスペンションワイヤ１０３の最端部１０３ａ〜１０３ｆは再びレンズホルダ１０２から突出する構成となっている。サスペンションワイヤ１０３は弾性のある導電材料で構成されており、鉄合金，銅合金（例えば銅−ベリリウム合金等）などの線状体や平板状体で構成されている。
【０００７】
サスペンションホルダ１０４は絶縁性材料からなり、サスペンションワイヤ１０３の他端部が埋設されている。すなわち、サスペンションホルダ１０４はサスペンションワイヤ１０３を介してレンズホルダ１０２を変位可能に弾性的に片持ち支持している。サスペンションホルダ１０４には図示していない回路基板が取り付けあるいは近接して設けられており、この回路基板とサスペンションワイヤ１０３は電気的に接続されている。また、サスペンションホルダ１０４には貫通孔１０４ａが設けられている。
【０００８】
サスペンションホルダ１０４は、鉄合金等の磁性体からなるヨーク１０５に搭載されている。ヨーク１０５には、同一側に折り曲げられた、側立設部１０５ａ、１０５ｂ、立設ヨーク部１０５ｃ、１０５ｄ、１０５ｅ、前端立設部１０５ｆ、後端立設部１０５ｇが設けられている。立設ヨーク部１０５ｃと立設ヨーク部１０５ｄ、１０５ｅは対向するように設けられており、しかも立設ヨーク部１０５ｃの立設ヨーク部１０５ｄ、１０５ｅ側の面には一対の磁石１０９ａ、１０９ｂが取り付けられており、立設ヨーク部１０５ｄ、１０５ｅの立設ヨーク部１０５ｃ側の面には一対の磁石１１０ａ、１１０ｂがそれぞれ取り付けられている。このとき、各立設ヨーク部１０５ｃ、１０５ｄ、１０５ｅと各磁石１１０ａ、１１０ｂは、紫外線硬化接着剤や熱硬化性接着剤などによって接合されている。
【０００９】
フォーカスコイル１０６ａ、１０６ｂは銅或いは銅合金などで構成された被覆導電線を角部に丸みを帯びた方形状に、かつ断面正方形状に巻回されて構成されている。
【００１０】
対物レンズ１０１のトラッキング制御を行うために、３つのトラッキングコイル１０７、１０８ａ、１０８ｂが設けられている。中央のトラッキングコイル１０７の両脇に、トラッキングコイル１０８ａ、１０８ｂが密着するか或いは隙間を設けて配置される。このとき、トラッキングコイル１０７、１０８ａ、１０８ｂの巻軸はそれぞれ略平行になるように配置される。トラッキングコイル１０７、１０８ａ、１０８ｂはフォーカスコイル１０６ａ、１０６ｂを接合した組立体の側面部に熱硬化性接着剤か紫外線硬化接着剤の少なくとも一方の接着剤で接着される。トラッキングコイル１０７、１０８ａ、１０８ｂの巻軸とフォーカスコイル１０６ａ、１０６ｂの巻軸は非平行となるように、好ましくは略垂直となるような配置関係となっている。トラッキングコイル１０７、１０８ａ、１０８ｂは互いに電気的に直列接続されており、同一の導電線によって、トラッキングコイル１０７、１０８ａ、１０８ｂを一体に構成している。
【００１１】
また、トラッキングコイル１０８ａ、１０８ｂは長辺が、トラッキングコイル１０７は短辺が、フォーカスコイル１０６ａ、１０６ｂの巻軸に略平行になるようにフォーカスコイル１０６ａ，１０６ｂにそれぞれ取り付けられている。
【００１２】
以上のように、フォーカスコイル１０６ａ、１０６ｂおよびトラッキングコイル１０８ａ、１０８ｂを組み合わせたコイル構成体１１１は、レンズホルダ１０２に装着される。このとき、コイル構成体１１１は第２の貫通孔１０２ｂの突出部１０２ｃが設けられた側とは反対側から挿入され、挿入されたコイル構成体１１１のフォーカスコイル１０６ａ、１０６ｂの外周部はこの突出部１０２ｃに当接し、レンズホルダ１０２の第２の貫通孔１０２ｂ内に保持される。このときにトラッキングコイル１０８ａ、１０８ｂの外周部はそれぞれ切り欠き部１０２ｅ、１０２ｄに入り込み、突出部１０２ｃよりもトラッキングコイル１０８ａ、１０８ｂの上面は飛び出す構成となる。そして、コイル構成体１１１は、熱硬化性接着剤（熱硬化性エポキシ接着剤など）を用いてレンズホルダ１０２に固定される。
【００１３】
コイル構成体１１１をレンズホルダ１０２に固定した後に、サスペンションホルダ１０４をヨーク１０５に熱硬化性接着剤などで固定する。このとき、サスペンションホルダ１０４の貫通孔１０４ａに後端立設部１０５ｇが挿入され、レンズホルダ１０２の第２の貫通孔１０２ｂ内には、立設ヨーク部１０５ｃ、１０５ｄ、１０５ｅおよび磁石１０９ａ、１０９ｂ、１１０ａ、１１０ｂが挿入される。そしてフォーカスコイル１０６ａ内には立設ヨーク部１０５ｄと磁石１１０ａが挿入され、フォーカスコイル１０６ｂには立設ヨーク部１０５ｅと磁石１１０ｂが挿入される。また、立設ヨーク部１０５ｃと立設ヨーク部１０５ｄ、１０５ｅの間にはトラッキングコイル１０７、１０８ａ、１０８ｂおよびトラッキングコイル１０７、１０８ａ、１０８ｂが取り付けられたフォーカスコイル１０６ａ、１０６ｂ部分が配置されている。
【００１４】
また、フォーカスコイル１０６ａの両端部は図示していないが、サスペンションワイヤ１０３の最端部１０３ｆ、１０３ｅにそれぞれ巻回されて半田などで接合され、フォーカスコイル１０６ｂの両端部はそれぞれサスペンションワイヤ１０３の最端部１０３ｃ、１０３ｂにそれぞれ巻回されて半田などで接合されている。さらにトラッキングコイル１０７、１０８ａ、１０８ｂの両端部はそれぞれ最端部１０３ｄ、１０３ａに巻回されて半田などで接合されている。
【００１５】
したがって、各サスペンションワイヤ１０３に選択的に電流を流すことで、各コイルに選択的に電流を流すことができる。各コイルに選択的に流すことで発生する磁界および磁石１０９ａ、１０９ｂ、１１０ａ、１１０ｂで磁気回路が構成される。それによりレンズホルダ１０２をフォーカス方向成分とトラッキング方向成分の少なくとも一つを有する方向に移動させることができる。光ディスクからの反射光で生成されるサーボ信号などを元に対物レンズ１０１をフォーカス方向あるいはトラッキング方向に移動させることで、光ディスクに設けられたデータトラックに光を集光させて情報の記録あるいは再生の少なくとも一方を確実に行うことができる。
【００１６】
高速度化を進めるとレンズホルダ１０２は振動が問題となってくる。したがって高速度化のためにはレンズホルダ１０２の振動を抑制する必要があり、そのためにはレンズホルダ１０２の剛性を上げなければならない。そのため（特許文献１）では前記レンズホルダ１０２の第２の貫通孔１０２ｂにセンターリブを形成し、さらにセンターリブに非磁性材料からなる補強材を取り付けて剛性を上げた。
【特許文献１】特開２００１−２７３６５８号公報
【発明の開示】
【発明が解決しようとする課題】
【００１７】
ところが、前述の通り、光ディスク装置の進化の流れには小型・軽量・薄型化という流れも存在し、光ディスク装置を構成する部品にも小型・軽量・薄型化に対応することが求められる。（特許文献１）のようにレンズホルダの第２の貫通孔にセンターリブを形成して補強材を取り付けることで、確かにレンズホルダの剛性を上げて、高速度記録再生に対応させることは可能である。しかし、そのためレンズホルダの厚さが増し、小型・軽量・薄型化のうちの特に薄型化に対応させることは困難であった。
【００１８】
本発明は、上記従来の問題点を解決するもので、従来の薄さのままでレンズホルダの剛性を増し、光ディスク装置の高速度化に対応できる対物レンズ駆動装置に備わる対物レンズ保持体を提供することを目的とする。
【課題を解決するための手段】
【００１９】
上記目的を解決するために本発明は、第１の貫通孔および第２の貫通孔を備えたレンズホルダと、前記第１の貫通孔に固定された対物レンズと、前記第２の貫通孔の内側に固定されたトラッキングコイルおよびフォーカスコイルと、前記第２の貫通孔の内側に配置された補強部材と、を備えた対物レンズ保持体とした。
【００２０】
レンズホルダの第２の貫通孔の内側に補強部材を配置することで、レンズホルダの厚さを増さずに剛性を増すことができる。
【発明の効果】
【００２１】
本発明の対物レンズ保持体はレンズホルダの厚さを増さずに剛性を増すことができる。そのため対物レンズ駆動装置は薄型化に対応しつつ、高速度記録再生にも対応することができる。
【発明を実施するための最良の形態】
【００２２】
本発明の第１の発明は、第１の貫通孔および第２の貫通孔を備えたレンズホルダと、第１の貫通孔に固定された対物レンズと、第２の貫通孔の内側に固定されたトラッキングコイルおよびフォーカスコイルと、第２の貫通孔の内側に配置された補強部材と、を備えた対物レンズ保持体である。
【００２３】
レンズホルダの第２の貫通孔の内側に補強部材を配置することで、レンズホルダの厚さを増さずに剛性を増すことができる。そのため対物レンズ駆動装置は薄型化に対応しつつ、高速度記録再生にも対応することができる。
【００２４】
第２の発明は、第１の発明において補強部材はレンズホルダの幅方向に配置された対物レンズ保持体である。
【００２５】
実際に発生する振動に対し、より効果的に振動を抑制することができる。そのためより高速度の記録再生にも対応できる。
【００２６】
第３の発明は、第１の発明において補強部材は第２の貫通孔の略中心にある対物レンズ保持体である。
【００２７】
レンズホルダの中心に近い第２の貫通孔の略中心に補強部材があるため効率良くレンズホルダの剛性を上げることができる。
【００２８】
第４の発明は、第１の発明において補強部材は非磁性を有する材料で形成された対物レンズ保持体である。
【００２９】
対物レンズ駆動装置にはトラッキングコイル、フォーカスコイルや多くの磁石が使われている。補強部材を非磁性とすることでコイルや磁石に磁気的な影響を与えることがない。また、逆にコイルや磁石から磁気的な影響を受けることもない。
【００３０】
第５の発明は、第１の発明において補強部材は絶縁性を有する材料で形成された対物レンズ保持体である。
【００３１】
トラッキングコイルやフォーカスコイルには交流の電流が流される。補強部材は絶縁性を有する材料で形成されるためにそれらのコイルに近接していても補強部材には渦電流が発生しにくく、損失は少なくて済む。
【００３２】
第６の発明は、第１の発明において補強部材はレンズホルダよりも剛性が高い材料で形成された対物レンズ保持体である。
【００３３】
レンズホルダよりも高い剛性の材料で補強部材を形成することで少ない材料で効率良くレンズホルダの剛性を上げることができる。
【００３４】
第７の発明は、第１の発明において補強部材はセラミックスを含む材料で形成された対物レンズ保持体である。
【００３５】
セラミックスは非磁性を有し、絶縁性を有し、レンズホルダよりも剛性が高い材料である。そのため磁気的な影響がなく、渦電流の発生がなくて損失が少なく、少ない材料で剛性を上げることができる。特に剛性が高く比重がそれほど大きくないため補強部材を薄く細くすることもできる。そのため対物レンズ保持体の質量をそれほど大きくしなくても剛性を確保できる。したがって質量増加による対物レンズ駆動装置の特性の劣化を最小限に抑制することができる。
【００３６】
第８の発明は、第１の発明において補強部材とレンズホルダとは接着剤で固定された対物レンズ保持体である。
【００３７】
接着剤は一般に安価であり、製造コストを抑制することができる。また、トラッキングコイル、フォーカスコイルをともにレンズホルダと接着することができ、より確実な剛性の向上が見込める。
【００３８】
第９の発明は、第１の発明において補強部材はレンズホルダと一体で成型されて固定された対物レンズ保持体である。
【００３９】
レンズホルダを成型する際に補強部材が固定されて一体でできあがるので、簡単に製造することができる。
【００４０】
第１０の発明は、第１の発明において補強部材は板状である対物レンズ保持体である。
【００４１】
構造が簡単であるので安価に製造することができる。
【００４２】
第１１の発明は、第１の発明においてトラッキングコイルは補強部材に固定された対物レンズ保持体である。
【００４３】
補強部材にトラッキングコイルを固定することで補強部材の剛性を増すことができるため、レンズホルダの剛性をさらに向上させることができる。また、補強部材を基準にトラッキングコイルの向きを決めることができるのでコイルの性能を発揮しやすく、ばらつきを抑制することができる。
【００４４】
第１２の発明は、第１の発明においてフォーカスコイルは補強部材に固定された対物レンズ保持体である。
【００４５】
補強部材にフォーカスコイルを固定することで補強部材の剛性を増すことができるため、レンズホルダの剛性をさらに向上させることができる。また、補強部材を基準にフォーカスコイルの向きを決めることができるのでコイルの性能を発揮しやすく、ばらつきを抑制することができる。
【００４６】
第１３の発明は、第１２の発明において補強部材はフォーカスコイルの内部に設けられた対物レンズ保持体である。
【００４７】
トラッキングコイルとフォーカスコイルを近接して配置できるため、磁気回路の損失を抑制した上で剛性を向上することができる。
【００４８】
第１４の発明は、第１の貫通孔および第２の貫通孔を備えたレンズホルダを成型する金型の所定の位置に補強部材を配置する第１工程と、レンズホルダの金型に所定の材料を供給しレンズホルダの形状を成型する第２工程と、補強部材とレンズホルダを一体で金型から取り出す第３工程と、トラッキングコイルとフォーカスコイルを第２の貫通孔の内部に固定する第４工程と、を備えた対物レンズ保持体の製造方法である。
【００４９】
レンズホルダを成型する際に補強部材が固定されて一体でできあがるので、簡単に製造することができる。また、剛性が向上したレンズホルダにトラッキングコイル、フォーカスコイルを固定するので組立精度が良い。
【００５０】
第１５の発明は、フォーカスコイルと補強部材とトラッキングコイルとを相互に固定する第１工程と、第１の貫通孔および第２の貫通孔を備えたレンズホルダの第２の貫通孔内側と補強部材とを固定する第２工程とを備えた対物レンズ保持体の製造方法である。
【００５１】
剛性がある補強部材にトラッキングコイルとフォーカスコイルを固定するので製造する際に取り扱いが従来に比べて楽である。また、補強部材を基準に組立できるので組立精度を向上させることができる。さらに、第２工程において製造設備は従来の設備を流用できるので製造コストを低く抑えることができる。
【００５２】
第１６の発明は、第１５の発明において第１工程はフォーカスコイルと補強部材とトラッキングコイルとを相互に接着剤で固定する対物レンズ保持体の製造方法である。
【００５３】
接着剤は安価に入手できるので製造コストを低く抑えることができる。
【００５４】
第１７の発明は、第１の発明の対物レンズ保持体、第１４の発明または第１５の発明の製造方法で製造された対物レンズ保持体のうち、いずれか１の対物レンズ保持体を備えた対物レンズ駆動装置である。
【００５５】
従来の薄さのままでレンズホルダの剛性が増すので高速度でもレンズホルダの振動を防ぐことができる。そのため、光ディスク装置の薄型化と高速度化に対応できる。
【００５６】
第１８の発明は、第１７の発明の対物レンズ駆動装置を備えた光ピックアップである。
【００５７】
対物レンズ駆動装置が光ディスク装置の薄型化と高速度化に対応できるので、光ピックアップも光ディスク装置の薄型化と高速度化に対応できる。
【００５８】
第１９の発明は、第１８の発明の光ピックアップを備えた光ピックアップモジュールである。
【００５９】
光ピックアップが光ディスク装置の薄型化と高速度化に対応できる対物レンズ駆動装置を備えているため光ディスク装置の薄型化と高速度化に対応できる。
【００６０】
第２０の発明は、第１９の発明の光ピックアップモジュールを備えた光ディスク装置である。
【００６１】
光ピックアップモジュールが光ディスク装置の薄型化と高速度化に対応できる対物レンズ駆動装置を備えているため光ディスク装置の薄型化と高速度化に対応できる。
【００６２】
第２１の発明は、第１の貫通孔および第２の貫通孔を備えたレンズホルダと、第１の貫通孔に固定された対物レンズと、レンズホルダの幅方向に配置され第２の貫通孔の内側に接着剤で固定されセラミックスを含む材料で形成された板状の補強部材と、第２の貫通孔の内側で補強部材に接着剤で固定されたトラッキングコイルと、第２の貫通孔の内側でトラッキングコイルの反対側から補強部材に接着剤で固定されたフォーカスコイルとを備えた対物レンズ保持体と、対物レンズ保持体を弾性支持するサスペンションワイヤと、サスペンションワイヤを支持するサスペンションホルダと、第２の貫通孔内に配置される磁石を固定しサスペンションホルダを固定するヨークと、を備えた対物レンズ駆動装置である。
【００６３】
補強部材をレンズホルダの幅方向に配置しレンズホルダの第２の貫通孔の内側に固定することで、レンズホルダの厚さを増さずに効果的に振動を抑制し剛性を上げることができる。また保護部材はトラッキングコイルとフォーカスコイルの間にあり第２の貫通孔の略中心に位置するため、さらに効率良くレンズホルダの剛性を上げることができる。保護部材はセラミックを含む材料で形成されているため磁気的な影響を及ぼすことなく、渦電流の発生も抑制でき、非常に軽く仕上げることができるため、特性も良い。また、保護部材に接着されたトラッキングコイルやフォーカスコイルも剛性の向上に寄与している。トラッキングコイルやフォーカスコイルの組立精度が良くなる分、さらに特性が良い。その上製造コストも低く抑えられる。そのため対物レンズ駆動装置は薄型化に対応しつつ、高速度記録再生にも対応することができる。
【００６４】
（実施の形態１）
実施の形態１について図を参照しながら説明する。図１は本実施の形態１の対物レンズ駆動装置の構成斜視図、図２は図１の構成斜視図の分解斜視図である。後述するように光ディスク３０に対する情報の記録や再生などはレーザダイオード等のレーザ光源２１から出射された光を対物レンズ１に入射させ、対物レンズ１で入射した光を絞り、光ディスク３０上に集光することにより行われる。また、この光ディスク３０に集光した光の反射光は、対物レンズ１を介して第１の受光センサ２８に入射し、電気信号に変換される。その電気信号はデータ取得やサーボ制御に使用される。
【００６５】
対物レンズ１はレンズホルダ２に取り付けられており、レンズホルダ２の対物レンズ１を取り付ける部分には第１の貫通孔２ａが設けられている。対物レンズ１はこの第１の貫通孔２ａを塞ぐように接着剤などで固定されている。また、レンズホルダ２には、対物レンズ１が固定される部分に設けられた第１の貫通孔２ａ以外に角部に丸みを帯びた方形状の大きな第２の貫通孔２ｂが設けられている。第２の貫通孔２ｂの形状は設計により変化する。第１の貫通孔２ａと第２の貫通孔２ｂとが並ぶ方向をレンズホルダ２の長さ方向（図２のＸ方向）、それと直交する方向をレンズホルダ２の幅方向（図２のＹ方向）、第２の貫通孔２ｂの両開口を結ぶ方向をレンズホルダ２の厚さ方向（図２のＺ方向）という。第２の貫通孔２ｂのレンズホルダ２の対物レンズ１が設けられる側の面には、第２の貫通孔２ｂの径が他の部分よりも小さくなるように、第２の貫通孔２ｂの中心側に伸びた突出部２ｃが略コ字型に設けられている。また、この突出部２ｃの端部には突出部２ｃの一部を切り欠くように一対の切り欠き部２ｄ，２ｅが設けられている。レンズホルダ２は後述するようにサスペンションワイヤ３を電気的に絶縁して保持するため、絶縁性材料であるガラスフィラー入り液晶ポリマなどで形成される。
【００６６】
レンズホルダ２の両側部にはそれぞれ３本づつ、サスペンションワイヤ３が設けられており、かつ、サスペンションワイヤ３の一方の端部はレンズホルダ２中に埋設して設けられている。しかもサスペンションワイヤ３の最端部３ａ〜３ｆは再びレンズホルダ２から突出する構成となっている。サスペンションワイヤ３は弾性のある導電材料で構成されており、鉄合金，銅合金（例えば銅−ベリリウム合金等）などの線状体や平板状体で構成されている。
【００６７】
サスペンションホルダ４は絶縁性材料からなり、サスペンションワイヤ３の他端部が埋設されている。すなわち、サスペンションホルダ４はサスペンションワイヤ３を介してレンズホルダ２を変位可能に弾性的に片持ち支持している。サスペンションホルダ４には図示していない回路基板が取り付けあるいは近接して設けられており、この回路基板とサスペンションワイヤ３は電気的に接続されている。また、サスペンションホルダ４には貫通孔４ａが設けられている。
【００６８】
サスペンションホルダ４は、鉄合金等の磁性体からなるヨーク５に搭載されている。ヨーク５には、同一側に折り曲げられた、側立設部５ａ、５ｂ、立設ヨーク部５ｃ、５ｄ、５ｅ、前端立設部５ｆ、後端立設部５ｇが設けられている。立設ヨーク部５ｃと立設ヨーク部５ｄ、５ｅは対向するように設けられており、しかも立設ヨーク部５ｃの立設ヨーク部５ｄ、５ｅ側の面には一対の磁石９ａ、９ｂが取り付けられており、立設ヨーク部５ｄ、５ｅの立設ヨーク部５ｃ側の面には一対の磁石１０ａ、１０ｂがそれぞれ取り付けられている。このとき、各立設ヨーク部５ｃ、５ｄ、５ｅと各磁石１０ａ、１０ｂは、紫外線硬化接着剤や熱硬化性接着剤などによって接合されている。
【００６９】
フォーカスコイル６ａ、６ｂは銅或いは銅合金などで構成された被覆導電線を角部に丸みを帯びた方形状に、かつ断面正方形状に巻回されて構成されている。
【００７０】
対物レンズ１のトラッキング制御を行うために、３つのトラッキングコイル７、８ａ、８ｂが設けられている。中央のトラッキングコイル７の両脇に、トラッキングコイル８ａ、８ｂが密着するかあるいは隙間を設けて配置される。このとき、トラッキングコイル７、８ａ、８ｂの巻軸はそれぞれ略平行になるように配置される。補強部材１１を挟んでトラッキングコイル７、８ａ、８ｂとフォーカスコイル６ａ、６ｂは熱硬化性接着剤または紫外線硬化接着剤の少なくとも一方の接着剤で固定される。トラッキングコイル７、８ａ、８ｂの巻軸とフォーカスコイル６ａ、６ｂの巻軸は非平行となるように、好ましくは略垂直となるような配置関係となっている。トラッキングコイル７、８ａ、８ｂは互いに電気的に直列接続されており、同一の導電線によって、トラッキングコイル７、８ａ、８ｂを一体に構成している。
【００７１】
また、トラッキングコイル８ａ、８ｂは長辺が、トラッキングコイル７は短辺が、フォーカスコイル６ａ、６ｂの巻軸に略平行になるように補強部材１１にそれぞれ固定されている。
【００７２】
以上のように、フォーカスコイル６ａ、６ｂおよびトラッキングコイル８ａ、８ｂおよび補強部材１１を組み合わせたコイル構成体１２は、レンズホルダ２に装着される。このとき、コイル構成体１２は第２の貫通孔２ｂの突出部２ｃが設けられた側とは反対側から挿入され、挿入されたコイル構成体１２のフォーカスコイル６ａ、６ｂの外周部はこの突出部２ｃに当接し、レンズホルダ２の第２の貫通孔２ｂ内に保持される。このときにトラッキングコイル８ａ、８ｂの外周部はそれぞれ切り欠き部２ｅ、２ｄに入り込み、突出部２ｃよりもトラッキングコイル８ａ、８ｂの上面は飛び出す構成となる。そして、コイル構成体１２の少なくとも補強部材１１は、第２の貫通孔２ｂの内側にて熱硬化性接着剤（熱硬化性エポキシ接着剤など）を用いてレンズホルダ２に固定される。本実施の形態１では補強部材１１は突出部２ｃにフォーカスコイル６ａ、６ｂとともに当接するが、トラッキングコイル８ａ、８ｂとともに切り欠き部２ｄ、２ｅで当接しても良い。本実施の形態１では補強部材１１だけでなくトラッキングコイル８ａ、８ｂおよびフォーカスコイル６ａ、６ｂもレンズホルダ２に接着剤にて固定した。対物レンズ保持体１３は対物レンズ１と、レンズホルダ２と、フォーカスコイル６ａ、６ｂと、トラッキングコイル７、８ａ、８ｂと、補強部材１１とを備える。
【００７３】
補強部材１１はレンズホルダ２の幅方向に配置され、第２の貫通孔２ｂの内側の略中心部に固定される。高速度化を進めるとレンズホルダ２の振動が問題となる。特にレンズホルダ２の長さ方向を軸とするねじれ振動が問題になる。レンズホルダ２の中心に近い第２の貫通孔２ｂの略中心にレンズホルダ２の幅方向に補強部材１１を固定することで非常に効率良くレンズホルダ２の剛性を上げ、振動を抑制することができる。
【００７４】
コイル構成体１２をレンズホルダ２に固定した後に、サスペンションホルダ４をヨーク５に熱硬化性接着剤などで固定する。このとき、サスペンションホルダ４の貫通孔４ａに後端立設部５ｇが挿入され、レンズホルダ２の第２の貫通孔２ｂ内には、立設ヨーク部５ｃ、５ｄ、５ｅおよび磁石９ａ、９ｂ、１０ａ、１０ｂが挿入される。そしてフォーカスコイル６ａ内には立設ヨーク部５ｄと磁石１０ａが挿入され、フォーカスコイル６ｂには立設ヨーク部５ｅと磁石１０ｂが挿入される。また、立設ヨーク部５ｃと立設ヨーク部５ｄ、５ｅの間にはトラッキングコイル７、８ａ、８ｂおよびトラッキングコイル７、８ａ、８ｂが取り付けられたフォーカスコイル６ａ、６ｂ部分が配置されている。
【００７５】
また、フォーカスコイル６ａの両端部は図示していないが、サスペンションワイヤ３の最端部３ｆ、３ｅにそれぞれ巻回されて半田などで接合され、フォーカスコイル６ｂの両端部はそれぞれサスペンションワイヤ３の最端部３ｃ、３ｂにそれぞれ巻回されて半田などで接合されている。さらにトラッキングコイル７、８ａ、８ｂの両端部はそれぞれ最端部３ｄ、３ａに巻回されて半田などで接合されている。
【００７６】
したがって、各サスペンションワイヤ３に選択的に電流を流すことで、各コイルに選択的に電流を流すことができる。各コイルに選択的に流すことで発生する磁界および磁石９ａ、９ｂ、１０ａ、１０ｂで磁気回路が構成される。それにより対物レンズ保持体１３を構成するレンズホルダ２、すなわち対物レンズ１をフォーカス方向成分とトラッキング方向成分の少なくとも一つを有する方向に移動させることができる。光ディスクからの反射光で生成されるサーボ信号などを元に対物レンズ１をフォーカス方向あるいはトラッキング方向に移動させることで、光ディスクに設けられたデータトラックに光を集光させて情報の記録あるいは再生の少なくとも一方を確実に行うことができる。
【００７７】
第２の貫通孔２ｂの内側に固定されてレンズホルダ２の強度を増すため、補強部材１１はレンズホルダ２を構成する材料よりも高い剛性の材料で構成されることが望ましい。またフォーカスコイル６ａ、６ｂおよびトラッキングコイル７、８ａ、８ｂに挟まれる位置に配置されるため、磁気回路に影響を及ぼさない非磁性体であることが望まれる。また、渦電流の発生を極力抑制するために絶縁性を有することが望ましい。以上の要求を満たす必要があるため本実施の形態１では補強部材１１の材料としてアルミナやジルコニアなどのセラミックスを用いた。また補強部材１１はフォーカスコイル６ａ、６ｂおよびトラッキングコイル７、８ａ、８ｂで発生する熱を逃がす効果もあり、フォーカスコイル６ａ、６ｂおよびトラッキングコイル７、８ａ、８ｂの耐電流性能を改善することができる。
【００７８】
なお、本実施の形態１において補強部材１１の形状は最も単純な板状、すなわち断面形状は四角形としたが、それに限るものではなく、断面形状をコの字状や円形・楕円形などにしても良いし、補強部材１１の形状を円筒形・楕円筒形などにしても良い。
【００７９】
また、製造方法はフォーカスコイル６ａ、６ｂと補強部材１１とトラッキングコイル７、８ａ、８ｂとを相互に固定する第１工程と、第１の貫通孔２ａおよび第２の貫通孔２ｂを備えたレンズホルダ２の第２の貫通孔２ｂ内側と補強部材１１とを固定する第２工程とを備えている。そのため比較的容易に製造することができる。また、今まで使ってきた製造設備をほぼそのまま使うことができ、製造コストを低くすることができる。また本実施の形態１ではフォーカスコイル６ａ、６ｂと補強部材１１とトラッキングコイル７、８ａ、８ｂとを相互に接着剤で固定した。接着剤は安価に入手でき製造コストをさらに低く抑えることができる。
【００８０】
対物レンズ１はコイル構成体１２をレンズホルダ２に固定する前にあらかじめレンズホルダ２に固定しても良いし、コイル構成体１２を固定した後にレンズホルダ２に固定しても良い。また、サスペンションワイヤ３の取り付けなどのすべての製造が終わって、対物レンズ駆動装置１４の組立の最後にレンズホルダ２に固定しても良い。このように対物レンズ１のレンズホルダ２への固定は対物レンズ駆動装置１４の組立工程の中のどの順番で行っても良い。
【００８１】
このように本実施の形態１の対物レンズ保持体１３を備えた対物レンズ駆動装置１４は従来の薄さのままでレンズホルダ２の剛性を増すことができるため光ディスク装置の高速度化に対応することができる。
【００８２】
（実施の形態２）
実施の形態２について図を参照しながら説明する。図３は本実施の形態２のレンズホルダに補強部材を固定したレンズホルダ組立体の斜視構成図である。
【００８３】
実施の形態１ではフォーカスコイル６ａ、６ｂと補強部材１１とトラッキングコイル７、８ａ、８ｂとを接着してコイル構成体１２を製造した上で、コイル構成体１２をレンズホルダ２の第２の貫通孔２ｂに固定した。コイル構成体１２の補強部材１１がレンズホルダ２の内側に固定されることでレンズホルダ２の剛性を上げることができた。本実施の形態２ではまず図３に示すようにレンズホルダ２の第２の貫通孔２ｂの所定の位置である切り欠き部２ｄ、２ｅに隣接する突出部２ｃに当接するように補強部材１１を固定する。固定には熱硬化性接着剤（熱硬化性エポキシ接着剤など）または紫外線硬化接着剤の少なくとも一方の接着剤が使われる。次にフォーカスコイル６ａ、６ｂおよびトラッキングコイル７、８ａ、８ｂを所定の位置に固定する。本実施の形態２においては実施の形態１と同様に第１の貫通孔２ａに近い側にトラッキングコイル７、８ａ、８ｂ、遠い側にフォーカスコイル６ａ、６ｂを配置した。フォーカスコイル６ａ、６ｂおよびトラッキングコイル７、８ａ、８ｂは補強部材１１またはレンズホルダ２の第２の貫通孔２ｂの内側の少なくとも一方に対して固定されていれば良い。しかし、補強部材１１とレンズホルダ２の第２の貫通孔２ｂの内側の両方に対して固定されることが望ましい。それはその方がコイルの強度をレンズホルダ２の剛性の向上に寄与させることができるためである。固定には熱硬化性接着剤（熱硬化性エポキシ接着剤など）または紫外線硬化接着剤の少なくとも一方の接着剤が使われる。その他の構成については実施の形態１と同じであるので、その説明を援用する。
【００８４】
このようにレンズホルダ２に補強部材１１を固定してレンズホルダ２の剛性を上げてからからトラッキングコイル７、８ａ、８ｂおよびフォーカスコイル６ａ、６ｂを固定することで組立精度を向上させることができる。
【００８５】
なお、本実施の形態２では、補強部材１１とレンズホルダ２の固定は接着剤を使って行われた。しかし、それに限るものではない。まず、レンズホルダ２を成型する金型の所定の位置にあらかじめ作製しておいた補強部材１１を配置する。次に、レンズホルダ２の金型に所定の材料を供給し、レンズホルダ２の形状を成型する。最後に、補強部材１１とレンズホルダ２を一体で金型から取り出す。このように補強部材１１とレンズホルダ２とを一体成型で作製しても良く、この場合、製造が簡単にできる。
【００８６】
このように実施の形態２の対物レンズ保持体１３を備えた対物レンズ駆動装置１４も従来の薄さのままでレンズホルダ２の剛性を増すことができるため光ディスク装置の高速度化に対応することができる。
【００８７】
（実施の形態３）
実施の形態３について図を参照しながら説明する。実施の形態１および実施の形態２において補強部材１１はトラッキングコイル７、８ａ、８ｂおよびフォーカスコイル６ａ、６ｂの間に挟んで固定された。しかし、そのような形態である必要はない。実施の形態３は対物レンズ保持体１３の形態の変化例である。図４は本実施の形態３の対物レンズ保持体の形態の変化の例を示した上面模式図である。図４（ａ）は実施の形態１および実施の形態２で説明してきた形態である。図４（ｂ）はそれに対し、補強部材１１とフォーカスコイル６ａ、６ｂの間にトラッキングコイル７、８ａ、８ｂが挟まれた形態である。従来のフォーカスコイル６ａ、６ｂおよびトラッキングコイル７、８ａ、８ｂを組み合わせたコイル構成体１２のトラッキングコイル７、８ａ、８ｂ側の外側に補強部材１１を固定した形態ともいえる。従来の製造設備を使うことができるため製造コストを低く抑制することができる。また、この特殊な形態として補強部材１１を接着剤で形成しても良い。例えばトラッキングコイル７、８ａ、８ｂの巻線の内部を接着剤で充填し、さらに図のように接着剤を厚塗りして補強部材１１の形状にすれば良い。その際、補強部材１１をトラッキングコイル７、８ａ、８ｂとフォーカスコイル６ａ、６ｂを接着した接着剤そのものを使えば、その接着の際に連続して補強部材１１を形成することができる。またコイル構成体１２をレンズホルダ２に接着した接着剤を使えば、その接着の際に連続して補強部材１１を形成することができる。まったく別の補強部材１１を形成するための専用の接着剤を用いても良い。トラッキングコイル７、８ａ、８ｂの巻線の内部の接着剤もレンズホルダ２の剛性の向上に寄与できる。
【００８８】
図４（ｃ）は図４（ｂ）とは逆に補強部材１１とトラッキングコイル７、８ａ、８ｂの間にフォーカスコイル６ａ、６ｂが挟まれた形態である。従来のフォーカスコイル６ａ、６ｂおよびトラッキングコイル７、８ａ、８ｂを組み合わせたコイル構成体１２のフォーカスコイル６ａ、６ｂ側の外側に補強部材１１を固定した形態ともいえる。従来の製造設備を使うことができるため製造コストを低く抑制することができる。
【００８９】
図４（ｄ）はフォーカスコイルを１個のみとし、そのフォーカスコイル６ａの巻線の内部に補強部材１１を固定した形態である。補強部材１１を固定することでフォーカスコイル６ａの強度をあらかじめ上げておくことができるので取り扱いが楽になる。
【００９０】
図４（ｅ）はトラッキングコイル７、８ａ、８ｂおよびフォーカスコイル６ａ、６ｂそれぞれに補強部材１１を固定し、それらを組み合わせた形態である。あらかじめ補強部材１１を固定しておくことでトラッキングコイル７、８ａ、８ｂおよびフォーカスコイル６ａ、６ｂの強度を上げておくことができるので取り扱いが楽になる。また、各補強部材１１は図４（ｄ）のフォーカスコイル６ａと補強部材１１のように各コイルの巻線の内部に固定しても良い。また、図４（ａ）から図４（ｅ）までの形態を組合せ、複数箇所に補強部材１１を設けても良い。
【００９１】
また、レンズホルダ２の厚さ方向の形態の変化についても説明する。図５は本実施の形態３の対物レンズ保持体の形態の変化の例を示した断面模式図である。視点は図４（ａ）のＡ−Ａ方向である。図５（ａ）は実施の形態１で説明した突出部２ｃに補強部材１１を当接した形態である。レンズホルダ２の下面側と補強部材１１の下面側はほぼ面一とした。しかし、図５（ｂ）に示すように補強部材１１をレンズホルダ２の下面側から引っ込めても構わないし、図５（ｃ）のようにわずかならば突出させても良い。また、図５（ｄ）のように補強部材１１に耳を設けてレンズホルダ２の下面側に当接させても良い。図５（ｅ）は突出部２ｃの側面部にまで補強部材１１を延長した場合であり、図５（ａ）の場合に比べ、レンズホルダ２の剛性を上げることができる。
【００９２】
一方、図５（ｆ）から図５（ｈ）は補強部材１１を切り欠き部２ｄ、２ｅに入り込んで固定された場合を示している。補強部材１１は図５（ｆ）、図５（ｇ）に示すようにレンズホルダ２の厚さの範囲内に固定することが望ましい。しかし、図５（ｈ）のようにわずかに突出する程度であれば補強部材１１に耳を設けてレンズホルダ２の下面側に当接させても良い。
【００９３】
さらに異なる形態の補強部材１１の配置についても説明する。図６は本実施の形態３のさらに異なる対物レンズ保持体の形態の変化の例を示した上面模式図である。図６（ａ）はレンズホルダ２の長さ方向に補強部材１１を固定した場合である。トラッキングコイル７の部分は巻線の内部を貫通させる。ヨーク５の立設ヨーク部５ｃの部分は立設ヨーク部５ｃを２分割し、補強部材１１と干渉しないようにする。レンズホルダ２の振動がレンズホルダ２の幅方向を軸として発生する場合に効果的に剛性を上げることができる。
【００９４】
今までは第２の貫通孔２ｂの丸みを帯びた方形状のいわば対向する面を結ぶ形で補強部材１１を配置してきた。図６（ｂ）は第２の貫通孔２ｂの隣り合う２面を結ぶ形で補強部材１１を配置した例を示す図で、補強部材１１は第２の貫通孔２ｂの側面と第１の貫通孔２ａから遠い方の面とを結んでいる。図６（ｃ）は図６（ｂ）とは逆に第２の貫通孔２ｂの側面と第１の貫通孔２ａに近い方の面とを結んでいる。図６（ｃ）の場合は図６（ａ）と同様の処理をトラッキングコイル７および立設ヨーク部５ｃで実施する。図６（ｂ）、図６（ｃ）の場合、振動がレンズホルダ２の長さ方向を軸にする場合も幅方向を軸にする場合も効果的に低減することができる。さらに第２の貫通孔２ｂの側面同士を結ぶ補強部材１１と第１の貫通孔２ａに近い方の面と遠い方の面とを結ぶ補強部材１１を両方配置しても良い。
【００９５】
図６（ｄ）は補強部材１１をフォーカスコイル６ａ、６ｂの上面または下面の少なくとも一方に配置した図である。例えば板状の補強部材１１を第２の貫通孔２ｂの対向する突出部２ｃの間に配置することで実現できる。レンズホルダ２の長さ方向の補強部材１１の幅が大きいため効果的にレンズホルダ２の振動を低減できる。特に上面、下面の両方に配置した際にその効果は大きい。
【００９６】
このように実施の形態３の対物レンズ保持体１３を備えた対物レンズ駆動装置１４も従来の薄さのままでレンズホルダ２の剛性を増すことができるため光ディスク装置の高速度化に対応することができる。
【００９７】
（実施の形態４）
実施の形態４について図を参照しながら説明する。実施の形態４は実施の形態１、実施の形態２、実施の形態３のいずれかに記載された対物レンズ保持体１３を備えた対物レンズ駆動装置１４を備えた光ピックアップである。図７は本実施の形態４の光ピックアップの構成斜視図、図８は本実施の形態４の光ピックアップの光学系の構成図である。
【００９８】
本実施の形態４において光ピックアップ３１の光学系は図８に示すようにレーザ光源２１が近接した複数の発光点を備えるようにした。近接した複数の発光点を備えたレーザ光源２１としては、複数の異なる波長のレーザ素子を１つのパッケージに隣接して配置したもの（いわゆるハイブリッド型２波長半導体レーザ光源）や、１つの半導体基板に複数の波長の光源を集積化した半導体レーザ素子（いわゆるモノリシック型２波長半導体レーザ光源）などがある。これらの２波長半導体レーザ光源では、ハイブリッド型、モノリシック型のいずれの場合においても、２つの波長の発光点の距離は約１１０μｍである。図８において波長の異なる複数の発光点を近接して設けた２波長半導体レーザ光源であるレーザ光源２１はＤＶＤ用の波長λ１（約６５０ｎｍ）の発光点２１ａおよびＣＤ用の波長λ２（約７８０ｎｍ）の発光点２１ｂとを備える。２波長半導体のレーザ光源２１はいわゆるハイブリッド型２波長半導体レーザでもいわゆるモノリシック型２波長半導体レーザでも構わない。
【００９９】
回折格子２２は光学部材の表面または内部に回折格子を形成したもので、発光点２１ｂから出射された光を３ビームトラッキング法に使用する３本の光に分離する。集積プリズム２３は内部に複数の傾斜面が設けられた光学部材で構成されており、傾斜面には波長に応じた偏光分離膜（図示せず）が形成されている。
【０１００】
コリメートレンズ２４、２焦点対物レンズである対物レンズ１はそれぞれ光学ガラスまたは光学プラスチックで作製されている。発光点２１ａ、発光点２１ｂから出射された光はコリメートレンズ２４で略平行光にされ、対物レンズ１でそれぞれの波長に応じた光ディスク３０の位置に焦点を結ぶように集光される。コリメートレンズ２４の中心と対物レンズ１の中心を結ぶ線およびその延長を光学系の光軸という。２焦点の対物レンズ１としては、集光レンズおよびフレネルレンズまたはホログラムレンズの組合せ、ＤＶＤ用集光レンズにＣＤ再生時に開口制限手段を設ける組合せ等を用いることができる。
【０１０１】
ＢＳ（ビームスプリッタ）プレート２５はレーザ光源２１から出射された往路光の一部を透過して光量のモニタ用に分離するビームスプリッタであり、光ディスク３０で反射された復路光は全て反射されるように設計されている。
【０１０２】
立ち上げプリズム２６はそれまで光ディスク３０の面に略平行な面内にあった光軸を光ディスク３０の面に略垂直に立ち上げるためのプリズムでミラーとしても良い。ホログラム素子２７は偏光ホログラム２７ａと１／４波長板２７ｂとで構成されている。偏光ホログラム２７ａは波長λ１の光にのみ作用するよう波長選択性のある材料で作製されている。また１／４波長板２７ｂは波長λ１、λ２の両方に作用するよう屈折率と厚みが設定されている。ホログラム素子２７は対物レンズ１とともにレンズホルダ２に固定されており、対物レンズ１とともに動く。
【０１０３】
光ディスク３０はＣＤ系がＣＤ、ＣＤ−ＲＯＭ、ＣＤ−Ｒ／ＲＷ、ＤＶＤ系がＤＶＤ−ＲＯＭ、ＤＶＤ±Ｒ／ＲＷ、ＤＶＤ−ＲＡＭなどであり、ＣＤ系もＤＶＤ系も再生専用の媒体を除いて全て記録も再生も可能なものである。また、ＣＤ系とＤＶＤ系の組合せだけでなく、ＢＤやＨＤ  ＤＶＤなどとの組合せでも一般性を失わない。
【０１０４】
第１の受光センサ２８は光ディスク３０からの反射光を受光し、ＲＦ信号、トラッキングエラー信号、フォーカスエラー信号などを生成する電気信号に変換し出力する受光素子である。また、第２の受光センサ２９は発光点２１ａ、発光点２１ｂから出射され、ＢＳプレート２５で分離された光の一部を受け、光量を電気信号に変換し出力するセンサである。この電気信号は光ディスク３０へ集光する集光スポットの光量が一定になるようにレーザ光源２１の駆動回路（図示せず）を制御する制御回路（図示せず）に送られる。
【０１０５】
上記の光学系を構成する各部品は直接的にまたはＦＰＣ（図示せず）や調整部材などを介して間接的にキャリッジ１６に固定される。対物レンズ駆動装置１４はヨーク５にて接着剤でキャリッジ１６に固定される。その結果、対物レンズ１を搭載した対物レンズ駆動装置１４の対物レンズ保持体１３がトラッキングエラー信号、フォーカスエラー信号によるサーボ信号により光ディスク３０の動きに追従する。ピックカバー１７および対物レンズ駆動装置カバー１８は前記ＦＰＣなどがキャリッジ１６からはみ出して光ディスク３０と衝突しないようにするカバーである。
【０１０６】
このように本実施の形態４の光ピックアップ３１は薄型化に対応でき剛性が高い対物レンズ保持体１３を備えた対物レンズ駆動装置１４を備えており、薄型化に対応できるとともに高速度化にも対応できる。
【０１０７】
なお、本実施の形態４ではレーザ光源２１として２波長半導体レーザ光源としたが、それに限るものではなく、ＤＶＤ用のレーザ光源とＣＤ用のレーザ光源をそれぞれ準備しても良い。また、レーザ光源２１はＤＶＤ用とＣＤ用の２波長半導体レーザ光源とし、さらにＢＤやＨＤ  ＤＶＤ用の波長約４０５ｎｍのレーザ光源を準備しても良い。
【０１０８】
（実施の形態５）
実施の形態５について図を参照しながら説明する。図９は本実施の形態５の保護カバーなしの光ピックアップモジュールの構成図、図１０は本実施の形態５の光ピックアップモジュールの構成斜視図である。本実施の形態５は実施の形態４の光ピックアップを備えた光ピックアップモジュールである。
【０１０９】
ベース３２は光ピックアップモジュール４１の骨組みを成すもので、このベース３２に直接的、間接的に各部品が固定される。光ディスク３０を載置するターンテーブルを備えたスピンドルモータ３３はベース３２に固定される。
【０１１０】
フィードモータ３４はベース３２に固定される。フィードモータ３４は光ピックアップ３１が光ディスク３０の内周と外周の間を移動するために必要な回転駆動力を生成する。フィードモータ３４としてステッピングモータ、ＤＣモータ等が使用される。スクリューシャフト３５はらせん状に溝が形成されており、直接または数段のギアを介してフィードモータ３４に接続されている。本実施の形態５では直接フィードモータ３４と接続されている。第１のガイドシャフト３６および第２のガイドシャフト３７は支持部材３９を介して両端の部分をベース３２に固定されている。光ピックアップ３１は第１のガイドシャフト３６と第２のガイドシャフト３７に移動自在に保持される。ガイド歯を有するラック３８は光ピックアップ３１に固定されている。ラック３８がスクリューシャフト３５に伝達されたフィードモータ３４の回転駆動力を直線駆動力に変換することで光ピックアップ３１は光ディスク３０の内周と外周の間を移動することができる。
【０１１１】
第１のガイドシャフト３６と第２のガイドシャフト３７は支持部材３９の調整機構により、光ピックアップ３１から出射されるレーザ光が光ディスク３０に対し直角に入射するように調整される。保護カバー４０は貫通孔を有し、光ディスク装置５５に組み込まれた際に必要最小限のみ露出させる。
【０１１２】
本実施の形態５の光ピックアップモジュール４１は実施の形態４の光ピックアップ３１を備えている。実施の形態４の光ピックアップ３１は薄型化に対応でき剛性が高い対物レンズ保持体１３を備えた対物レンズ駆動装置１４を備えており、薄型化に対応できるとともに高速度化にも対応できる。したがって、本実施の形態５の光ピックアップモジュール４１は薄型化に対応できるとともに高速度化にも対応できる。
【０１１３】
（実施の形態６）
実施の形態６について図を参照しながら説明する。図１１は本実施の形態６の光ディスク装置の構成斜視図である。実施の形態６は実施の形態５の光ピックアップモジュール４１を備えた光ディスク装置５５である。
【０１１４】
図１１において筐体５１は上部筐体５１ａと下部筐体５１ｂを組み合わせて袋状に構成されている。光ピックアップモジュール４１を設けたトレイ５２は筐体５１に出没自在に設けられている。保護カバー４０を備えた光ピックアップモジュール４１はトレイ５２の開口部から露出している。トレイ５２が筐体５１から引き出された際に外部から見える光ピックアップモジュール４１の部材は対物レンズ１を含む光ピックアップ３１の一部とスピンドルモータ３３およびフィードモータ３４と保護カバー４０のみである。ベゼル５３はトレイ５２の前端面に設けられて、トレイ５２が筐体５１内に収納された時にトレイ５２の出没口を塞ぐように構成されている。筐体５１内部やトレイ５２内部には図示していない回路基板があり、信号処理系のＩＣや電源回路などが搭載されている。図示していない外部コネクタ５４はコンピュータ等の電子機器に設けられた電源／信号ラインと接続される。そして、外部コネクタ５４を介して光ディスク装置５５内に電力を供給したり、あるいは外部からの電気信号を光ディスク装置５５内に導いたり、あるいは光ディスク装置５５で生成された電気信号を電子機器などに送出する。
【０１１５】
本実施の形態６の光ディスク装置５５は実施の形態５の光ピックアップモジュール４１を備えている。実施の形態５の光ピックアップモジュール４１は薄型化に対応でき剛性が高い対物レンズ保持体１３を備えた対物レンズ駆動装置１４を備えており、薄型化に対応できるとともに高速度化にも対応できる。したがって、本実施の形態６の光ディスク装置５５は薄型化に対応できるとともに高速度化にも対応できる。
【産業上の利用可能性】
【０１１６】
以上のように本発明の対物レンズ保持体を備えた対物レンズ駆動装置は、光ピックアップ、光ピックアップモジュールに組み込まれて薄型化、高速度化に対応した光ディスク装置に好ましく搭載される。
【図面の簡単な説明】
【０１１７】
【図１】本実施の形態１の対物レンズ駆動装置の構成斜視図
【図２】図１の構成斜視図の分解斜視図
【図３】本実施の形態２のレンズホルダに補強部材を固定したレンズホルダ組立体の斜視構成図
【図４】本実施の形態３の対物レンズ保持体の形態の変化の例を示した上面模式図
【図５】本実施の形態３の対物レンズ保持体の形態の変化の例を示した断面模式図
【図６】本実施の形態３のさらに異なる対物レンズ保持体の形態の変化の例を示した上面模式図
【図７】本実施の形態４の光ピックアップの構成斜視図
【図８】本実施の形態４の光ピックアップの光学系の構成図
【図９】本実施の形態５の保護カバーなしの光ピックアップモジュールの構成図
【図１０】本実施の形態５の光ピックアップモジュールの構成斜視図
【図１１】本実施の形態６の光ディスク装置の構成斜視図
【図１２】従来の対物レンズ駆動装置の構成斜視図
【図１３】図１２の構成斜視図の分解斜視図
【符号の説明】
【０１１８】
１    対物レンズ
２    レンズホルダ
２ａ    第１の貫通孔
２ｂ    第２の貫通孔
２ｃ    突出部
２ｄ、２ｅ    切り欠き部
３    サスペンションワイヤ
３ａ〜３ｆ    最端部
４    サスペンションホルダ
５    ヨーク
５ａ、５ｂ    側立設部
５ｃ、５ｄ、５ｅ    立設ヨーク部
５ｆ    前端立設部
５ｇ    後端立設部
６ａ、６ｂ    フォーカスコイル
７、８ａ、８ｂ    トラッキングコイル
９ａ、９ｂ、１０ａ、１０ｂ    磁石
１１    補強部材
１２    コイル構成体
１３    対物レンズ保持体
１４    対物レンズ駆動装置
１６    キャリッジ
１７    ピックカバー
１８    対物レンズ駆動装置カバー
２１    レーザ光源
２２    回折格子
２３    集積プリズム
２４    コリメートレンズ
２５    ＢＳプレート
２６    立ち上げプリズム
２７    ホログラム素子
２７ａ    偏光ホログラム
２７ｂ    １／４波長板
２８    第１の受光センサ
２９    第２の受光センサ
３０    光ディスク
３１    光ピックアップ
３２    ベース
３３    スピンドルモータ
３４    フィードモータ
３５    スクリューシャフト
３６    第１のガイドシャフト
３７    第２のガイドシャフト
３８    ラック
３９    支持部材
４０    保護カバー
４１    光ピックアップモジュール
５１    筐体
５２    トレイ
５３    ベゼル
５４    外部コネクタ
【図１】
2006323911.tif 000003
【図２】
2006323911.tif 000004
【図３】
2006323911.tif 000005
【図４】
2006323911.tif 000006
【図５】
2006323911.tif 000007
【図６】
2006323911.tif 000008
【図７】
2006323911.tif 000009
【図８】
2006323911.tif 000010
【図９】
2006323911.tif 000011
【図１０】
2006323911.tif 000012
【図１１】
2006323911.tif 000013
【図１２】
2006323911.tif 000014
【図１３】
2006323911.tif 000015